(57)【要約】【課題】レンズの絞り値の変化によって設定が不意に変わっても撮像感度やシャッター速度を変化させることで露出を維持することが可能な撮像装置を提供すること。【解決手段】絞り値とシャッター速度と撮像感度を設定する露出値設定手段と、撮影レンズの開放絞り値又は最小絞り値に変化があったかどうか判定する絞り値変化判定手段と、前記絞り値変化判定手段により、開放絞り値又は最小絞り値に変化があったと判定された場合、前記露出値設定手段により設定された露出値に近づける方向に前記撮像感度を変更する第一の撮像感度変更手段と、前記第一の撮像感度変更手段により変更された撮像感度が、第一の撮像感度範囲内に収まっているかどうかを判定する撮像感度範囲判定手段と、前記変更された撮像感度が、前記撮像感度範囲判定手段により前記第一の撮像感度範囲内に収まっていないと判断された場合は、前記露出値設定手段により設定された露出値に近づける方向に前記シャッター速度を変更する第一のシャッター速度変更手段、とを有することを特徴とする構成とした。【選択図】図３
2015073165.tif 000002
【特許請求の範囲】
【請求項１】
絞り値とシャッター速度と撮像感度を設定する露出値設定手段（７０）と、
撮影レンズの開放絞り値又は最小絞り値に変化があったかどうか判定する絞り値変化判定手段（４０）と、
前記絞り値変化判定手段により、開放絞り値又は最小絞り値に変化があったと判定された場合、前記露出値設定手段により設定された露出値に近づける方向に前記撮像感度を変更する第一の撮像感度変更手段（４０）と、
前記第一の撮像感度変更手段により変更された撮像感度が、第一の撮像感度範囲内に収まっているかどうかを判定する撮像感度範囲判定手段（４０）と、
前記変更された撮像感度が、前記撮像感度範囲判定手段により前記第一の撮像感度範囲内に収まっていないと判断された場合は、前記露出値設定手段により設定された露出値に近づける方向に前記シャッター速度を変更する第一のシャッター速度変更手段（４０）、
とを有することを特徴とする撮像装置。
【請求項２】
請求項１に記載の撮像装置において、さらに表示手段（２５）を有し、
前記第一のシャッター速度変更手段によりシャッター速度が変更された場合は、前記表示手段にシャッター速度が変更されたことを示す情報を表示することを特徴とする撮像装置。
【請求項３】
絞り値とシャッター速度と撮像感度を設定する露出値設定手段（７０）と、
撮影レンズの開放絞り値又は最小絞り値に変化があったかどうか判定する絞り値変化判定手段（４０）と、
前記絞り値変化判定手段により、開放絞り値又は最小絞り値に変化があったと判定された場合、前記露出値設定手段により設定された露出値に近づける方向に前記シャッター速度を変更する第二のシャッター速度変更手段（４０）と、
前記第二のシャッター速度変更手段により変更されたシャッター速度が、第二のシャッター速度範囲内に収まっているかどうかを判定するシャッター速度範囲判定手段（４０）と、
前記変更されたシャッター速度が、前記シャッター速度範囲判定手段により前記第二のシャッター速度範囲内に収まっていないと判断された場合は、前記露出値設定手段により設定された露出値に近づける方向に前記撮像感度を変更する第二の撮像感度変更手段（４０）、
とを有することを特徴とする撮像装置。
【請求項４】
請求項３に記載の撮像装置において、さらに表示手段（２５）を有し、
前記第二の撮像感度変更手段により撮像感度が変更された場合は、前記表示手段に撮像感度が変更されたことを示す情報を表示することを特徴とする撮像装置。
【発明の詳細な説明】
【技術分野】
【０００１】
本発明は、電子スチルカメラ等の撮像装置に関し、特にレンズ交換式の撮像装置の制御方法に関するものである。
【背景技術】
【０００２】
撮影モードがマニュアルモードで設定絞り値がレンズの開放値又は最小絞り値に設定されている時、ズームしたり、レンズを付け替えたりすると、レンズの開放絞り値や最小絞り値が変わることがある。
【０００３】
この時、設定値がレンズの開放絞り値や最小絞り値を超えている時、強制的にレンズの開放絞り値かまたは最小絞り値が設定値になる。
【０００４】
上記のようなことが起こると、ユーザーは設定値が変わったことに気付かないことが多く、その場合、露出が異なった失敗写真が増えてしまう。
【０００５】
この問題を解決する為、露出に変化が無いように、シャッター速度を自動的に変える方法がある（特許文献１）。特許文献１では、ズームレンズが移動したか否かを判断し、移動に連動して得られるレンズの絞り量の変化を元に輝度の変化量を推定し、シャッター速度を変更する。また、撮像感度が変更可能なカメラの場合は、レンズの絞り量の変化とともに、シャッター速度の代わりに撮像感度を変更することが考えられる。
【先行技術文献】
【特許文献】
【０００６】
【特許文献１】特開2008-263492号公報
【発明の概要】
【発明が解決しようとする課題】
【０００７】
しかし、特許文献１に開示された従来技術では、レンズの絞りの変化幅に比べて撮像感度の変化可能幅やシャッター速度の変化可能幅が荒い場合は、レンズの絞りの変化量と同じだけ撮像感度やシャッター速度を変化させることができない。このため、レンズの絞りの変化に応じた露出維持制御ができないという問題がある。
【０００８】
例えば、レンズの絞りの変化がＦ４→４．５→５→５．６と１／３段ずつ変化し、カメラの撮像感度の制御範囲がＩＳＯ１６００→２０００→２５００→３２００→６４００というようにＩＳＯ３２００までは１／３段ずつ、それ以上は１段となる場合を考える。この場合、撮像感度をＩＳＯ２５００に設定し、絞りをＦ４から４．５→５→５．６と変化させると、Ｆ４．５でＩＳＯ３２００となり露出維持が可能であるが、Ｆ５やＦ５．６になると、露出維持が可能な撮像感度を設定することができない。
【０００９】
そこで本発明は、レンズの絞り値の変化によって設定が不意に変わっても撮像感度やシャッター速度を変化させることで露出を維持することが可能な撮像装置を提供する。
【課題を解決するための手段】
【００１０】
上記問題点を解決するため、本発明は、絞り値とシャッター速度と撮像感度を設定する露出値設定手段と、撮影レンズの開放絞り値又は最小絞り値に変化があったかどうか判定する絞り値変化判定手段と、前記絞り値変化判定手段により、開放絞り値又は最小絞り値に変化があったと判定された場合、前記露出値設定手段により設定された露出値に近づける方向に前記撮像感度を変更する第一の撮像感度変更手段と、前記第一の撮像感度変更手段により変更された撮像感度が、第一の撮像感度範囲内に収まっているかどうかを判定する撮像感度範囲判定手段と、前記変更された撮像感度が、前記撮像感度範囲判定手段により前記第一の撮像感度範囲内に収まっていないと判断された場合は、前記露出値設定手段により設定された露出値に近づける方向に前記シャッター速度を変更する第一のシャッター速度変更手段、とを有することを特徴とする。
【発明の効果】
【００１１】
本発明によれば、レンズの絞り値の変化によって設定が不意に変わっても撮像感度やシャッター速度を変化させることで露出を維持することが可能な撮像装置を提供することができる。
【図面の簡単な説明】
【００１２】
【図１】本発明の１実施形態としての撮像装置の構成ブロック図である。
【図２】(ａ)、(ｂ)は、本発明の１実施形態としての撮像装置の外観図である。
【図３】開放絞り値又は最小絞り値が変化した時に露出を維持するためのフローチャートである。
【図４】露出を維持する為にＩＳＯ値をシフトする際のフローチャートである。
【図５】露出を維持する為にＴｖをシフトする際のフローチャートである。
【図６】Ａｖ変更時の露出維持を、Ｔｖで行うのか、ＩＳＯ値で行うのか、露出維持を行わないのか、の設定を行う為のＧＵＩイメージ図である。
【発明を実施するための形態】
【００１３】
以下に、本発明の好ましい実施の形態を、添付の図面に基づいて詳細に説明する。図１は本発明の一実施形態としての撮像装置２００の構成ブロック図である。
【００１４】
レンズユニット１００は、交換可能な撮影レンズを搭載するレンズユニットである。レンズ５は通常、複数枚のレンズから構成されるが、ここでは簡略して一枚のレンズのみで示している。通信端子６はレンズが撮像装置側と通信を行う為の通信端子であり、通信端子１０は撮像装置がレンズ側と通信を行う為の通信端子である。レンズユニット１００は、この通信端子６，１０を介してマイクロコンピュータ４０と通信し、内部のレンズシステム制御回路４によって絞り駆動回路２を介して絞り１の制御を行い、ＡＦ駆動回路３を介して、レンズ５の位置を変位させることで焦点を合わせる。また、マイクロコンピュータ４０は、この通信端子６，１０を介して、レンズユニット１００の開放絞り値、及び最小絞り値を取得する。
【００１５】
ＡＥセンサー１５は、レンズユニット１００を通した被写体の輝度を測光する。ＡＦセンサー１１は、マイクロコンピュータ４０にデフォーカス量情報を出力する。マイクロコンピュータ４０はそれに基づいてレンズユニット１００を制御する。
【００１６】
クイックリターンミラー１２は、露光の際にマイクロコンピュータ４０から指示されて、不図示のアクチュエータによりアップダウンされる。撮影者は、ペンタプリズム１４とファインダー１６を介して、フォーカシングスクリーン１３を観察することで、レンズユニット１００を通して得た被写体の光学像の焦点や構図の確認が可能となる。
【００１７】
フォーカルプレーンシャッター１７は、マイクロコンピュータ４０の制御で撮像素子２０の露光時間を自由に制御できるフォーカルプレーンシャッターである。光学フィルター１８は一般的にローパスフィルターなどから構成され、フォーカルプレーンシャッター１７より入ってくる光の高周波成分をカットして、撮像素子２０に被写体像を導光する。
【００１８】
撮像素子２０は、一般的にＣＣＤやＣＭＯＳ等が用いられる撮像素子であり、レンズユニット１００を通して撮像素子２０上に結像された被写体象を光電変換して電気信号として取り込む。
【００１９】
ＡＭＰ回路２１は、取り込まれた電気信号に対して、設定されている撮影感度に応じたゲインで撮影信号を増幅する。Ａ／Ｄ変換回路２２は撮像素子２０によって電気信号に変換されたアナログ信号をデジタル信号に変換する。
【００２０】
画像処理回路２３は、Ａ／Ｄ変換回路２２によってデジタル信号に変換された画像データに対して、フィルター処理、色変換処理、ガンマー／ニー処理を行い、メモリーコントローラ２７に出力する。また、画像処理回路２３はＤ／Ａ変換回路も内蔵している。画像処理回路２３はＡ／Ｄ変換回路２２によってデジタル信号に変換された画像データやメモリーコントローラ２７により入力される画像データをアナログ信号に変換して液晶駆動回路２４を介して液晶表示部２５に出力することもできる。
【００２１】
これらの画像処理回路２３による画像処理及び表示処理は、マイクロコンピュータ４０により切り替えられる。また、マイクロコンピュータ４０は、撮影画像のカラーバランス情報をもとにホワイトバランス調整を行う。
【００２２】
液晶表示部２５は画像や撮影情報を表示するための背面モニタである。撮影情報として、例えば、絞り値（Ａｖ）、シャッター速度（Ｔｖ）、撮像感度（ＩＳＯ）を表示する。また、各種設定値を変更するための設定値変更画面を表示することもできる。画像を表示するディスプレイであれば液晶方式に限らず、有機ＥＬなど他の方式のディスプレイであってもよい。
【００２３】
メモリーコントローラ２７は、画像処理回路２３から入力された未処理の画像データをバッファメモリ２６に格納したり、或いは画像処理済みの画像データを記録媒体２８に格納したりする。また、逆にバッファメモリ２６や記録媒体２８から画像データを取り込んで画像処理回路２３に出力したりもする。
【００２４】
また、メモリーコントローラ２７は、外部インターフェース２９を介して送られてくる画像データを記録媒体２８に格納することや、逆に記録媒体２８に格納されている画像データを外部インターフェース２９を介して外部に出力することも可能である。外部インターフェースとしては、ＵＳＢ、ＩＥＥＥ、ＨＤＭＩ(登録商標）などのインターフェースが例として挙げられる。記録媒体２８は、メモリカードなどの着脱可能な記録媒体である。ただし内蔵メモリーであってもよい。タイミング制御回路３２を介してマイクロコンピュータ４０は、撮像素子２０の駆動タイミングを制御する。
【００２５】
電源制御回路３５は、ＡＣ電源部３０、もしくは２次電池部３１より供給され電源を制御する回路である。電源制御回路３５はマイクロコンピュータ４０から指示を受けて電源のオンオフを行う。また電源制御回路３５は電源状態検知回路３４により検知された現在の電源状態の情報や電源種類検知回路３３により検知された現在の電源の種類の情報をマイクロコンピュータ４０に通知することも行う。
【００２６】
マイクロコンピュータ４０はシャッター制御回路３６を介してフォーカルプレーンシャッター１７を制御する。
【００２７】
光学フィルター振動制御回路３７は、光学フィルター１８に接続されている圧電素子１９を振動させる回路である。振動の振幅、振動時間、振動の軸方向をそれぞれ所定の値で圧電素子を振動させるように、マイクロコンピュータ４０の指示に従い振動させる。
【００２８】
不揮発性メモリー３８は不揮発性の記録媒体であり、ユーザーが任意に設定したシャッター速度、絞り値、撮影感度などの設定値やその他の各種データを撮像装置に電源が入れられていない状態でも、保存することができる。
【００２９】
揮発性メモリー３９は、撮像装置の内部状態や着脱可能な記録媒体２８の情報など、一時的に記憶しておきたいデータを保存しておく。
【００３０】
操作部７０は、ユーザーからの操作を受け付ける入力部としての各種操作部材である。操作部７０には、少なくとも以下の操作部が含まれる。レリーズ釦２０１、メイン電子ダイヤル２０２、サブ電子ダイヤル２０３、電源スイッチ２０４、プロテクト釦２０５、メニュー釦２０６、削除釦２０７、拡大モード釦２０８、再生指示釦２０９、シングル／マルチ切り替え釦２１０、マルチコントローラ２１１。
【００３１】
マイクロコンピュータ４０は、撮像装置２００に含まれる各部を制御する制御部である。マイクロコンピュータ４０は、不揮発性メモリー３８に記録されたプログラムを、揮発性メモリー３９をワークメモリとして展開し、実行することで後述の各種処理を実行する。
【００３２】
図２（ａ）は、撮像装置全体２００の正面からの外観形状を示した図であり、図２（ｂ）は、撮像装置全体２００の背面からの外観形状を示した図である。図１と共通する部分は、同じ記号で示している。
【００３３】
レリーズ釦２０１は、撮影の準備指示及び撮影指示を行うための釦であり、釦を半押しすることで、被写体の輝度の測定や合焦を行う。また、釦を全押しすることでシャッターが切られ画像の撮影が行われる。
【００３４】
メイン電子ダイヤル２０２は回転操作部材であり、ユーザーは、このメイン電子ダイヤル２０２を回すことでシャッター速度や撮像感度などの設定値の設定を行う。サブ電子ダイヤル２０３は回転操作部材であり、ユーザーは、このサブ電子ダイヤル２０３を回すことで絞りや露出補正などの設定値の設定を行う。
【００３５】
電源スイッチ２０４は電源のＯＮ及びＯＦＦを行うための操作部材である。プロテクト釦２０５は、撮像装置内外の記録媒体に保存されている画像に対して、プロテクトやレーティングといった処理を施す為の釦である。メニュー釦２０６は、各種設定画面を液晶表示部２５に表示させる為の釦である。削除釦２０７は、撮像装置内外の記録媒体に保存されている画像に対して、削除を指示する釦である。
【００３６】
拡大モード釦２０８は、再生状態において、拡大モードの開始指示、拡大モードの終了指示を行うための釦である。再生指示釦２０９は、撮像装置内外の記録媒体に保存されている画像を液晶表示部２５に表示させる釦である。測距点選択釦２１０は、オートフォーカスの開始ポイントである測距点２１３や、オートフォーカスを行う範囲であるＡＦエリア２１２を選択するモードに入る為の釦である。
【００３７】
マルチコントローラ２１１は、オートフォーカスの開始ポイントである測距点の設定を行ったり、拡大画像表示状態において、拡大枠（拡大している範囲）の移動を行ったりするための複数方向に操作可能な操作部材である。
【００３８】
［実施例１］
以下、図３〜図７を参照して、本発明の第1の実施例による、レンズの開放絞り値（解放Ａｖ）、最小絞り値（最小Ａｖ）が変化した時に露出を維持する手法について説明する。まず図３、図６を用いて、本手法の基本的な流れを説明する。
【００３９】
ステップＳ１００で、レンズユニット１００より取得した、開放Ａｖ又は、最小Ａｖに変化があるか否か判定する。変化があった場合、ステップＳ１０１に進み、変化が無かった場合は終了する。
【００４０】
ステップＳ１０１で、撮影モードがマニュアルモードか否かの判定を行い、マニュアルモードであれば、ステップＳ１０２に進み、マニュアルモードでなかった場合は終了する。
【００４１】
ステップＳ１０２で、現在設定されている設定Ａｖが開放Ａｖより小さい値であるか又は、最小Ａｖより大きい値であった場合は、ステップＳ１０３に進み、そうでなかった場合は終了する。ステップＳ１０３では、以下の式（Ａ）に基づき、現設定値でのＢｖ（Ｂｖ１）を算出する。
【００４２】
Ｂｖ１＝Ｔｖ１＋設定Ａｖ−ＩＳＯ１  ・・・（Ａ）
Ｔｖ１は、現在設定されているシャッター速度、ＩＳＯ１は、現在設定されている撮像感度値である。
【００４３】
ステップＳ１０４で、露出を維持する為に、Ｔｖをシフトさせるのか、ＩＳＯ値をシフトさせるのかの設定値を取得する。設定は、図６に示すＧＵＩイメージ画面から選択することで設定可能となる。ＩＳＯを選択した場合は、露出を維持する為にＩＳＯ値をシフトさせ、Ｔｖを選択した場合は、Ｔｖをシフトさせて、露出の維持を行う。しないを選択した場合は、何も行わない。
【００４４】
ステップＳ１０５では、ステップＳ１０４で読み出した結果、Ｔｖをシフトして露出を維持する設定になっているか否かを判定し、Ｔｖをシフトして露出を維持する設定になっていれば、ステップＳ１０７に進み、そうでなければステップＳ１０６に進む。
【００４５】
ステップＳ１０６では、ステップＳ１０４で読み出した結果、ＩＳＯをシフトして露出を維持する設定になっているか否かを判定し、ＩＳＯをシフトして露出を維持する設定になっていれば、ステップＳ１０８に進み、そうでなければ何もしない。
【００４６】
ステップＳ１０７では、露出を維持する為にＴｖをシフトする処理を行う。詳細については、後に説明する。ステップＳ１０８では、露出を維持する為にＩＳＯをシフトする処理を行う。詳細については、後に説明する。
【００４７】
次に図４、図５、図７を用いて、本手法について具体的に説明する。まず、図４を用いて、ＩＳＯ値をシフトして露出を維持しようとする場合について説明する。
ここでは、レンズの絞りの変化が
Ｆ４→４．５→５→５．６
と１／３段ずつ大きくなる方向に変化し、カメラの撮像感度の制御範囲が
ＩＳＯ１６００→２０００→２５００→３２００→６４００
というようにＩＳＯ３２００までは１／３段ずつ、それ以上は１段となる場合に、ＩＳＯ２５００が設定されている場合を考える。
【００４８】
ステップＳ２００では、以下の式（Ｂ−１）に基づき、露出を維持する為の制御ＩＳＯ値（ＩＳＯ２）を算出する。
ＩＳＯ２＝Ｂｖ１−開放（または最小）Ａｖ−Ｔｖ１  ・・・（Ｂ−１）
ここで、ＩＳＯ２としてＩＳＯ３２００と６４００の間の値が算出された場合は、近い値への丸め処理を行う。例えば、レンズの絞り値がＦ５のときにＩＳＯ２としてＩＳＯ４０００相当が算出された場合はＩＳＯ２としてＩＳＯ３２００を採用する。また、レンズの絞り値がＦ５．６のときにＩＳＯ２としてＩＳＯ５０００相当が算出された場合はＩＳＯ２としてＩＳＯ６４００を採用する。また、丸め処理前のＩＳＯ２を記憶しておき、ステップ２０２とステップ２０３の判定で用いる。
【００４９】
ステップＳ２０１では、ステップＳ２００で算出した丸め処理前のＩＳＯ２がＩＳＯ閾値Ｈ（ＩＳＯ＿Ｈ＿ＴＨ）を超えているか否かを判定し、超えていたらステップＳ２０３に進み、超えていなかったらステップＳ２０２に進む。撮像感度の制御範囲がここで例示している範囲の場合は、ＩＳＯ閾値ＨとしてＩＳＯ３２００を設定する。
【００５０】
ステップＳ２０２では、ステップＳ２００で算出した丸め処理前のＩＳＯ２がＩＳＯ閾値Ｌ（ＩＳＯ＿Ｌ＿ＴＨ）を下回っているか否かを判定し、下回っていたらステップＳ２０３に進む。下回っていなければ、ステップＳ２００で算出したＩＳＯ２が制御ＩＳＯ値として設定され、露出が維持される。なお、ここで例示しているレンズの絞り変化とは逆にレンズ絞りが小さくなる方向に変化するときは、丸め処理前のＩＳＯ２がＩＳＯ閾値Ｌを下回っていると判定される場合がある。
【００５１】
ステップＳ２０３では、以下の式（Ｂ−２）に基づき、露出を維持する為の制御Ｔｖ（Ｔｖ２）を算出する。
Ｔｖ２＝Ｂｖ１−開放（または最小）Ａｖ＋ＩＳＯ２  ・・・（Ｂ−２）
このとき、シャッター速度が設定値から変化したことを示す情報を液晶表示部に表示してもよい。例えば、液晶表示部のＴｖ表示部分を点滅させる、もしくはアイコンを出すといった表示を行う。
【００５２】
以上のようにＩＳＯ値とＴｖを設定することで、絞りをＦ４から４．５→５→５．６と変化させていった場合、Ｆ４．５とＦ５でＩＳＯ３２００となり、Ｆ５．６でＩＳＯ６４００となる。また、絞りがＦ５またはＦ５．６となるときには、Ｔｖも変化することで露出の維持が行われる。このことから、ユーザーは、安心して撮影に臨むことが可能となる。
【００５３】
次に、図５を用いて、シャッター速度をシフトして露出を維持しようとする場合について説明する。
【００５４】
ここでは、レンズの絞りの変化が
Ｆ４→４．５→５→５．６
と１／３段ずつ大きくなる方向に変化し、カメラのシャッター速度の制御範囲が
１／２０００→１／２５００→１／３２００→１／４０００→１／８０００
というように１／４０００までは１／３段ずつ、それ以上は１段となる場合に、シャッター速度が１／３２００に設定されている場合を考える。
【００５５】
ステップＳ３００では、以下の式（Ｃ−１）に基づき、露出を維持する為の制御Ｔｖ（Ｔｖ２）を算出する。
Ｔｖ３＝Ｂｖ１−開放Ａｖ＋ＩＳＯ１  ・・・（Ｃ−１）
ここで、Ｔｖ３として１／４０００と１／８０００との間の値が算出された場合は、近い値への丸め処理を行う。例えば、レンズの絞り値がＦ５のときにＴｖ３として１／５０００相当が算出された場合はＴｖ３として１／４０００を採用する。また、レンズの絞り値がＦ５．６のときにＴｖ３として１／６４００相当が算出された場合はＴｖ３として１／８０００を採用する。また、丸め処理前のＴｖ３を記憶しておき、ステップ３０２とステップ３０３の判定で用いる。
【００５６】
ステップＳ３０１では、ステップＳ３００で算出した丸め処理前のＴｖ３がＴｖ閾値Ｈ（Ｔｖ＿Ｈ＿ＴＨ）を超えているか否かを判定し、超えていたらステップＳ３０３に進み、超えていなかったらステップＳ３０２に進む。シャッター速度の制御範囲がここで例示している範囲の場合は、Ｔｖ閾値Ｈとして１／４０００を設定する。
【００５７】
ステップＳ３０２では、ステップＳ３００で算出した丸め処理前のＴｖ３がＴｖ閾値Ｌ（Ｔｖ＿Ｌ＿ＴＨ）を下回っているか否かを判定し、下回っていたらステップＳ３０３に進む。下回っていなければ、ステップＳ３００で算出したＴｖ３が制御Ｔｖとして設定され、露出が維持される。なお、ここで例示しているレンズの絞り変化とは逆にレンズ絞りが小さくなる方向に変化するときは、丸め処理前のＴｖ３がＴｖ閾値Ｌを下回っていると判定される場合がある。
【００５８】
ステップＳ３０３では、以下の式（Ｃ−２）に基づき、露出を維持する為のＩＳＯ（ＩＳＯ３）を算出する。
ＩＳＯ３＝Ｂｖ１−開放（または最小）Ａｖ−Ｔｖ３  ・・・（Ｃ−２）
このとき、ＩＳＯ値が設定値から変化したことを示す情報を液晶表示部に表示してもよい。例えば、液晶表示部のＴｖ表示部分を点滅させる、もしくはアイコンを出すといった表示を行う。
【００５９】
以上のようにＴｖとＩＳＯ値を設定することで、絞りをＦ４から４．５→５→５．６と変化させていった場合、シャッター速度はＦ４．５とＦ５で１／４０００となり、Ｆ５．６で１／８０００となる。また、絞りがＦ５またはＦ５．６となるときには、ＩＳＯ値も変化することで露出の維持が行われる。このことから、ユーザーは、安心して撮影に臨むことが可能となる。
【００６０】
以上、本発明の好ましい実施形態について説明したが、本発明はこれらの実施形態に限定されず、その要旨の範囲内で種々の変形及び変更が可能である。
【符号の説明】
【００６１】
１  絞り
５  レンズ
１７  フォーカルプレーンシャッター
２０  撮像素子
２５  液晶表示部
４０  マイクロコンピュータ
７０  操作部
【図１】
2015073165.tif 000003
【図２】
2015073165.tif 000004
【図３】
2015073165.tif 000005
【図４】
2015073165.tif 000006
【図５】
2015073165.tif 000007
【図６】
2015073165.tif 000008